(57)【要約】【課題】セメント剥ぎ取り作業を要さず労力を軽減するとともに、使用後の廃棄物を少なくできるパイル内セメント抜取用具を提供する。【解決手段】厚紙製の紙筒１の下端部に下方に向けて漸次拡径した円錐筒形のガイドフィン３を外径が拡縮可能なるように弾性状に設け、該紙筒の上端部に上方に向けて漸次拡径した円錐筒形のガイドフィン４を外径が拡縮可能なるように弾性状に設けてなる。【選択図】図１
2006070625.tif 000002
【特許請求の範囲】
【請求項１】
厚紙製の紙筒の下端部に下方に向けて漸次拡径した円錐筒形のガイドフィンを外径が拡縮可能なるように弾性状に設けてなることを特徴としたパイル内セメント抜取用具。
【請求項２】
紙筒の上端部に上方に向けて漸次拡径した円錐筒形のガイドフィンを外径が拡縮可能なるように弾性状に設けてなることを特徴とした請求項１に記載のパイル内セメント抜取用具。
【請求項３】
紙筒内に突出する内向鍔部をガイドフィンに形成した請求項１または２に記載のパイル内セメント抜取用具。
【請求項４】
ガイドフィンにはスリットが形成されている請求項１〜３のいずれかに記載のパイル内セメント抜取用具。
【請求項５】
紙筒に補強枠を設けるとともに、該補強枠の上端部に吊上用の係合片を設けた請求項１〜４のいずれかに記載のパイル内セメント抜取用具。
【請求項６】
コンクリートパイル内に挿入するに際してガイドフィンを一時的に縮径させる手段を備えた請求項１〜５のいずれかに記載のパイル内セメント抜取用具。
【発明の詳細な説明】
【技術分野】
【０００１】
本発明は建造物の基礎として地中に埋設されるコンクリートパイル内に予め取付けておくことにより該コンクリートパイルの上部に杭頭補強筋を入れるための空間を簡単に形成できるようにするパイル内セメント抜取用具に関するものである。
【背景技術】
【０００２】
中空のコンクリートパイルの上部に円筒形の紙筒を予め取付けておき、該コンクリートパイルを回転埋設杭打ち工法（セメントミルク回転埋設工法）により地中に埋設し、セメント養生後に該紙筒を堀削重機で吊り上げてコンクリートパイル内から抜脱することによりコンクリートパイルの上部に杭頭補強筋を入れるための空間を形成する方法は周知のとおりである。
【０００３】
また、下記特許文献１〜３に記載されたパイル内セメント抜取用具では、紙筒の外周面を気泡入りプラスチックフイルムおよびブルーシートと称されるポリエチレンシート等のより包むことにより、セメントの養生時の膨張が該プラスチックフイルム等により吸収され紙筒を変形させないと共に、紙筒を吊り上げる時に該プラスチックフイルムやポリエチレンシートが下縁部より内側にめくり上げられる如くに剥離することで紙筒を容易に抜脱できるようにしている。
【特許文献１】実開平３−１６６６４号公報
【特許文献２】特公平７−３０５４６号公報
【特許文献３】特公平７−３０５４８号公報
【発明の開示】
【発明が解決しようとする課題】
【０００４】
しかしながら上記手法にて使用されたプラスチックフイルムやポリエチレンシートは、多量の産業廃棄物となり、その処理が容易でないという問題があった。
【０００５】
また、周知のようにコンクリートパイルは遠心法により成形されることから外径は正確に成形されるものの内径は製品ごとに大きな隔たりがあるものであった。このため、上記パイル内セメント抜取用具は、常に余裕をもって挿入できるようにするべく、コンクリートパイルの内径に対して外径が十分に小さいもの現場に搬入し使用せざるを得ないものであった。しかしながら内外の寸法差のために製品によっては大きな隙間ができ、その隙間にもソイルセメントが侵入するため、この抜取用具を抜き取った後のコンクリートパイルの内面にそのセメント硬化物が厚い層状に付着する状態となることが多い。こうなると、杭頭補強筋との接合強度を維持するべく、そのセメント硬化物を削岩機等によって剥ぎ取る作業が必要となり、騒音の問題や労力が掛かるという問題が生じていた。
【０００６】
そこで本発明は、上記のようなセメント剥ぎ取り作業を要さず、かつまた使用後の廃棄物を少なくできるなど、画期的なパイル内セメント抜取用具を提供しようとするものである。
【課題を解決するための手段】
【０００７】
そのために本発明の請求項１に記載したパイル内セメント抜取用具は、厚紙製の紙筒の下端部に下方に向けて漸次拡径した円錐筒形のガイドフィンを外径が拡縮可能なるように弾性状に設けてなることを特徴とする。
これによって、セメントが紙筒の外周とコンクリートパイル内面との隙間に侵入することなく、セメント剥ぎ取り作業を要しなくなる。
【０００８】
また、請求項２に記載の発明は上記パイル内セメント抜取用具において、紙筒の上端部に上方に向けて漸次拡径した円錐筒形のガイドフィンを外径が拡縮可能なるように弾性状に設けてなることを特徴とする。
このガイドフィンにより上部から土砂が紙筒の外周とコンクリートパイル内面との隙間に入るのが阻止される。
【０００９】
また、請求項３に記載の発明は上記パイル内セメント抜取用具において、紙筒内に突出する内向鍔部をガイドフィンに形成したことを特徴とする。
引き上げ時に紙筒内のセメントがこの内向鍔部の部分で離間するのを容易にする。
【００１０】
また、請求項４に記載の発明は上記パイル内セメント抜取用具において、ガイドフィンにはスリットが形成されていることを特徴とする。
ガイドフィンの拡縮性を向上させ、ガイドフィンの先端を弾性によりコンクリートパイルの内面に確実に当接させる。
【００１１】
また、請求項５に記載の発明は上記パイル内セメント抜取用具において、紙筒に補強枠を設けるとともに、該補強枠の上端部に吊上用の係合片を設けたことを特徴とする。
紙筒が吊上によりコンクリートパイル内から引き上げられるようにする。
【００１２】
また、請求項６に記載の発明は上記パイル内セメント抜取用具において、コンクリートパイル内に挿入するに際してガイドフィンを一時的に縮径させる手段を備えたことを特徴とする。
パイル内セメント抜取用具のコンクリートパイル内への挿入が簡単にできるようにする。
【発明の効果】
【００１３】
セメント剥ぎ取り作業を要しないので、労力が大幅に軽減される。また、従来のようなプラスチックフイルムやポリエチレンシート等の資材が不要であるので、コストが軽減されるとともに廃棄物も少なくなる利点がある。
【実施例１】
【００１４】
図１は本発明に係るパイル内セメント抜取用具の外観斜視図、図２は縦断面図である。図中、１は厚紙により円筒形に形成された紙筒、２は該紙筒に取着された補強枠、３は該紙筒１の下端部に下方に向けて漸次拡径した円錐筒形を呈するように設けられた下側のガイドフィン、４は該紙筒１の上端部に上方に向けて漸次拡径した円錐筒形を呈するように設けられた上側のガイドフィンである。
【００１５】
補強枠２は一対の鉄製のフラットバー５を該紙筒１の外面にネジ６により止着するとともに、該フラットバーの下端を該紙筒内に折り曲げて突出させ、その突出部分に環状の鉄筋９を溶接している。そして該フラットバーの上端部に逆Ｕ字状の係合片７を溶接により固着し、該係合片に棒状の鉄筋８が貫挿される。
【００１６】
図３はガイドフィン３およびガイドフィン４を形成するため、弾性を有するポリプロピレン樹脂により略１／４円錐筒形に形成されたフィン部材１０を示す。該フィン部材１０には環状取付部１１と内向鍔部１２が一体に形成されているとともに、前記フラットバー５を貫挿するための透孔１３が該環状取付部１１の外側に形成されたものである。また、１／４円錐筒形部分にスリット１４を形成することにより該円錐筒形部分が一層弾性的に拡縮し得るようにしている。そして、該フィン部材１０はネジ１５により紙筒１の下端部および上端部の円周に沿って夫々４個止着することにより円錐筒形を呈し、その外径が弾性的に拡縮可能なるように構成される。
【００１７】
このように構成したパイル内セメント抜取用具は、下側のガイドフィン３の外径を一時的に少し窄め（縮径し）た状態とすることでコンクリートパイル１６内に容易に挿入することができる。図４はその縮径のための用具１８の一例を示すもので、一端に把手部２０および係合部２１が形成された棒状体２２の先端に一定長の８本のワイヤ２３が放射状に設けられ、該各ワイヤの先端には挟着片２４が設けられている。この縮径のための用具は、使用に際して紙筒１内にその上部側開口から挿入し、各挟着片２４をガイドフィン３の各フィン部材の先端に係止し、その状態で該棒状体２２を引っ張り、図５に示したように係合部２１を前記鉄筋８に引っ掛ける。これにより各フィン部材が内向きに引っ張られ縮径することができるので、同図に示したようにコンクリートパイル１６内に抵抗なく挿入することができる。そして挿入できたところで係合部２１を前記鉄筋８から外して該棒状体２２を内方に押すことにより各挟着片２４が各フィン部材の先端から外れ、各フィン部材の弾性により該ガイドフィン３の外径が元に復元することから該各フィン部材の先端を該コンクリートパイルの内面に隙間なく弾性的に当接させることができる。なお、上側のガイドフィン４は上方に向けて漸次拡径した形状であることから挿入時に自然と縮径し、弾性復元により該コンクリートパイルの内面に隙間なく当接する。また、上記鉄筋８はコンクリートパイル１６の上端面に溶接または針金等を使用して取付けしておく。
【００１８】
そして該コンクリートパイル１６を未硬化のソイルセメントを充満させた地中堀削孔中に挿入埋設する。このとき、図６に示したように、該セメント１７は該コンクリートパイル内を上昇し紙筒１内にも入るが、該セメント１７は下側のガイドフィン３に阻まれ該紙筒１の外周とコンクリートパイル内面との隙間１９に侵入することがない。また、上側のガイドフィン４は、該隙間１９に上部から土砂が入るのを阻止する。
【００１９】
そしてセメント１７が養生した後、鉄筋８をコンクリートパイル１６から離脱させ、該鉄筋８を堀削重機で吊り上げる。そうすると補強枠２を介して紙筒１が引き上げられ、紙筒１内のセメントが下側のガイドフィン３の前記内向鍔部１２の部分で離間し、補強枠２およびガイドフィン４とともに該紙筒１内のセメントをコンクリートパイル内から引き上げることができる。（図７に示す）。なお、そのとき下側のガイドフィン３は紙筒１から外れコンクリートパイル内に残ることとなるが、ガイドフィン３はポリプロピレン等の樹脂により成形されているので、コンクリートパイル内に残っても腐敗，減容等することなく、これによって強度を損なうおそれはない。また、引き上げられた補強枠２，ガイドフィン４，紙筒１等はセメントと分別して廃棄される。
【００２０】
このように、本発明のパイル内セメント抜取用具では、下方に向けて漸次拡径した円錐筒形のガイドフィン３を設けたことにより、セメントが隙間１９に侵入しないようにしたので、コンクリートパイルの内面にセメント硬化物が付着することなく、これを剥ぎ取る作業は不要となる。なお、前記透孔１３やスリット１４、或いは各フィン部材１０の間隙等からセメントが隙間１９に侵入しないようにするため、これらの透孔等を予め例えばビニルテープを貼って塞いでおくのがよい。
【００２１】
また、ガイドフィンの外径を一時的に縮径させる手段としてはこの実施例に説明した用具の他、例えば各フィン部材の内側に一連の紐を通し得る孔が開設された耳片を一体に形成しておき、該紐を引っ張ることで各フィン部材が内側に撓んで外径が縮径し、紐を切れば弾性により外径が復元するようにしてもよい。また、小径のコンクリートパイルであれば必ずしもこのような用具，手段を必要とすることなく、手作業により縮径することも可能である。
【図面の簡単な説明】
【００２２】
【図１】本発明の実施例を示すパイル内セメント抜取用具の斜視図。
【図２】図１のパイル内セメント抜取用具の縦断面図。
【図３】本発明の実施例を示すパイル内セメント抜取用具のフィン部材の斜視図。
【図４】本発明の実施例を示すパイル内セメント抜取用具のガイドフィンの外径を縮径するための用具の側面図。
【図５】図４の用具の使用状態を示したコンクリートパイルの縦断面図。
【図６】本発明の実施例を示すパイル内セメント抜取用具の使用状態を示したコンクリートパイルの縦断面図。
【図７】本発明の実施例を示すパイル内セメント抜取用具を引き上げたときのコンクリートパイルの縦断面図。
【符号の説明】
【００２３】
１      紙筒
２      補強枠
３      下側のガイドフィン
４      上側のガイドフィン
７      係合片
８      鉄筋
１０    フィン部材
１１    環状取付部
１２    内向鍔部
１４    スリット
１５    ネジ
１６    コンクリートパイル
１７    ソイルセメント
１８    縮径のための用具
１９    隙間
【図１】
2006070625.tif 000003
【図２】
2006070625.tif 000004
【図３】
2006070625.tif 000005
【図４】
2006070625.tif 000006
【図５】
2006070625.tif 000007
【図６】
2006070625.tif 000008
【図７】
2006070625.tif 000009